(57)【特許請求の範囲】
【請求項１】
気化器の燃料流量を調整する針弁の頭部外周側に噛合部を噛み合わせながら装着され、工具係合部に調整用工具の先端を係合して回すことで前記針弁と一体となって回動し、外側に形成した回動制限構造によって前記針弁の回動範囲を制限するリミットキャップにおいて、少なくとも前記工具係合部および回動制限構造が金属製であるとともに少なくとも前記噛合部が合成樹脂製であることを特徴とする針弁用リミットキャップ。
【請求項２】
円筒状に形成されて基端側に前記工具係合部が設けられているとともに気化器ボディ側に設けた係合凸部が係合する係合部が前記回動制限構造として外周側に設けられてなる金属製の本体と、円筒状に形成されて前記本体内部で前記本体に対し同軸的且つ回動不能に配設され内周側に前記噛合部が設けられてなる合成樹脂製の噛合体とで構成されている、ことを特徴とする請求項１に記載した針弁用リミットキャップ。
【請求項３】
前記係合部は、前記針弁への装着時に前記噛合部と前記針弁頭部とが噛み合う挿入位置まで前記係合凸部で挿入方向の動作を案内されながら回動方向の動きを規制する縦溝と、該縦溝末端側から連続して、前記噛合部と前記針弁頭部が噛み合った挿入位置にて前記係合凸部で回動方向の動作を案内されながら回動範囲を制限する横溝からなることを特徴とする請求項２に記載した針弁用リミットキャップ。
【請求項４】
前記係合凸部は、前記気化器ボディ側に形成したリミットキャップ挿入穴の内周面から中心方向に突出して挿入穴底部側から開口側方向少なくとも中間位置まで延設された突条であるとともに、前記係合部は、本体外周面から遠心方向に突出して先端から基端方向少なくとも中間位置まで延設された所定幅の突条であり、前記針弁への装着時に、前記係合部で突出方向に延びて形成された側面を前記係合凸部で突出方向に延びて形成された側面に当接・摺動させて挿入することにより前記噛合部と前記針弁頭部が噛み合う挿入位置まで挿入方向の動作を案内されながら回動方向の動きが制限され、前記噛合部と前記針弁頭部が噛み合った挿入位置において前記係合凸部の左右の側面と前記係合部の左右の側面とが当接することで回動範囲が制限されることを特徴とする請求項２に記載した針弁用リミットキャップ。
【請求項５】
前記噛合体または前記本体の少なくとも一方に形成された脱抜・回動阻止構造により、前記噛合体と前記本体とが互いに固定されていることを特徴とする請求項２，３または４に記載した針弁用リミットキャップ。
【発明の詳細な説明】
【技術分野】
【０００１】
本発明は、気化器における針弁の回動範囲を制限するための針弁用リミットキャップに関する。
【背景技術】
【０００２】
手持ち式エンジンのような小型で簡易な構成のエンジンに燃料を供給する気化器においては、気温・気圧・燃料の種類等の様々な条件に応じて最適な混合気を確保する目的で、燃料流量を簡易に調整するための針弁（ニードルバルブ）が設けられているのが一般的である。
【０００３】
この針弁を用いた燃料流量の調節には技術・経験を要することから、一般のユーザーがこれを操作して混合気の状態を適正に管理することは困難である。そのため、例えば特開２００１−１１５８９６号公報に記載されているように、針弁の頭部側に針弁と一体になって回動するとともに回動範囲を所定角度内に制限するリミットキャップを装着することが通常行われている。
【０００４】
ところが、斯かるリミットキャップは樹脂単体又は金属単体からなることから、合成樹脂製のものでは調節時にドライバー等の調整工具の先端部分と係合して回動させる工具係合部（ドライバー溝）が容易に潰れやすく、金属製のものでは針弁の頭部側に打ち込む際に過大な荷重がかかることで充分に深く打ち込めなかったり打ち込む際に流量を変動させてしまったりするという問題がある。
【先行技術文献】
【特許文献】
【０００５】
【特許文献１】特開２００１−１１５８９６号公報
【発明の概要】
【発明が解決しようとする課題】
【０００６】
本発明は、上記のような問題を解決しようとするものであり、気化器の針弁頭部側に装着するリミットキャップについて、工具係合部が潰れにくいものとしながら燃料流量を変動させずに容易に装着可能とすることを課題とする。
【課題を解決するための手段】
【０００７】
そこで、本発明は、気化器の燃料流量を調整する針弁の頭部外周側に噛合部を噛み合わせながら装着され、その工具係合部に調整用工具の先端を係合して回すことで針弁と一体となって回動し、外側に形成した回動制限構造によって針弁の回動範囲を制限するリミットキャップにおいて、少なくともその工具係合部および回動制限構造が金属製であるとともに少なくともその噛合部が合成樹脂製であることを特徴とするものとした。
【０００８】
このように、針弁の頭部側に装着するリミットキャップについて、工具係合部を金属製とし噛合部を合成樹脂製としたことで、調整用工具を用いた燃料流量調整時に工具係合部が潰れにくくなることに加え、金属よりも柔らかく弾性変形能の高い合成樹脂製の噛合部により、針弁頭部に対し弱い力でもスムースに噛み合うことから、燃料流量を変動させることなく容易に装着できるものとなる。
【０００９】
また、このリミットキャップにおいて、円筒状に形成されて基端側に工具係合部が設けられているとともに気化器ボディ側に設けた係合凸部が係合する係合溝が回動制限構造と
して外周側に設けられてなる金属製の本体と、円筒状に形成されて本体内部で本体に対し同軸的且つ回動不能に配設され内周側に噛合部が形成されてなる合成樹脂製の噛合体とで構成されていることにより、金属部分と樹脂部分の結合が容易になり、且つ、金属部分に係合溝を設けたことで耐久性を確保しやすいものとなる。
【００１０】
この場合、その係合溝は、針弁への装着時に噛合部と針弁頭部とが噛み合う挿入位置まで係合凸部で挿入方向の動作を案内されながら回動方向の動きを規制する縦溝と、この縦溝末端側から連続して、噛合部と針弁頭部が噛み合った挿入位置にて係合凸部で回動方向の動作を案内されながら回動範囲を制限する横溝からなるものとすれば、挿入時にリミットキャップ及び針弁の向きを変えないことで燃料流量が変動してしまうことを回避しながら容易に装着できることに加え、装着後はリミットキャップの回動範囲を確実に制限できるものとなる。
【００１１】
或いは、その係合凸部は、気化器ボディ側に形成したリミットキャップ挿入穴の内周面から中心方向に突出して挿入穴底部側から開口側方向少なくとも中間位置まで延設された突条であり、その係合部は、本体外周面から遠心方向に突出して先端から基端方向少なくとも中間位置まで延設された所定幅の突条であり、針弁への装着時に、係合部で突出方向に延びて形成された側面を係合凸部で突出方向に延びて形成された側面に当接・摺動させて挿入することにより噛合部と針弁頭部が噛み合う挿入位置まで挿入方向の動作を案内されながら回動方向の動きが制限され、噛合部と針弁頭部が噛み合った挿入位置にて係合凸部の左右の側面と係合部の左右の側面とが当接することで回動範囲が制限されるものとしても同様である。
【００１２】
さらに、上述した本体と噛合体からなるリミットキャップにおいて、噛合体または本体の少なくとも一方に形成された脱抜・回動阻止構造により、噛合体と本体とが互いに固定されていることを特徴としたものとすれば、金属部品に対する樹脂部品の固定が容易且つ確実に行われて、組立て作業に手間を要しにくいものとなる。
【発明の効果】
【００１３】
工具係合部を金属製とするとともに噛合部を合成樹脂製とした本発明によると、工具係合部が潰れにくいものとしながら燃料流量を変動させずに容易に装着できるものとなる。
【図面の簡単な説明】
【００１４】
【図１】本発明における実施の形態の斜視図である。
【図２】図１のリミットキャップを針弁に装着する前の状態を示す気化器の部分縦断面図（針弁は縦断せず）である。
【図３】図２の状態からリミットキャップを第１段階の深さまで針弁に装着した状態を示す部分縦断面図である。
【図４】図３の状態からリミットキャップを第２段階の深さまで針弁に装着した状態を示す部分縦断面図である。
【図５】（Ａ）は図４の状態において係合ピンの位置で縦断した部分縦断面図であり、（Ｂ）は（Ａ）のＸ−Ｘ線に沿って切断した端面図である。
【図６】図１の応用例としてのリミットキャップの斜視図である。
【図７】（Ａ）はリミットキャップを取り付けた状態で気化器側の突条位置で縦断した部分縦断面図であり、（Ｂ）は（Ａ）のＸ−Ｘ線に沿って切断した端面図である。
【発明を実施するための形態】
【００１５】
以下に、図面を参照しながら本発明を実施するための形態を説明する。
【００１６】
図１は本実施の形態であるリミットキャップ３の斜視図を示している。このリミットキ
ャップ３は、貫通孔３ａが中心軸線に沿うように上下に貫通してほぼ円筒状に形成されてなる金属製の本体３０と、この本体３０の内側部分に同軸的且つ回動不能に配設・固定され、針弁２Ａの頭部外周側に形成された噛合構造の一例としてのセレート部２ｃと噛み合ってリミットキャップ３を針弁２Ａと一体的に回動させるための噛合部３１ａを内周側に有してほぼ円筒状に形成されてなる合成樹脂製の噛合体３１との、２つの部品で構成されている点を特徴としている。
【００１７】
その本体３０は、基端（図中上端）側開口部寄りの内側部分に、ドライバー等の調整工具の先端を係合して回動させるための工具係合部（ドライバー溝）３０ａが形成され、その外周側所定位置には気化器１側に設けた係合凸部の一例としての係合ピン１７（図５参照）が係合することによりリミットキャップ３の動作を案内しながら動作範囲を規制する係合溝としての縦溝３０ｃ，横溝３０ｄが形成されている。
【００１８】
その縦溝３０ｃは、リミットキャップ３の長さ方向に形成され、係合ピン１７が係合することで針弁２Ａへの装着時に噛合体３１の噛合部３１ａとローレットが形成された針弁頭部のセレート部２ｃとが噛み合う挿入位置まで回動方向の動きを規制しながらリミットキャップ３の挿入動作を案内するものであり（図２〜図４参照）、その横溝３０ｄは、縦溝３０ｃ末端（図中上端）側から連続して周方向所定範囲に亘って形成され、係合ピン１７が係合することで噛合部３１ａと針弁頭部のセレート部２ｃとが噛み合った挿入位置にてリミットキャップ３の回動方向の動作を案内しながら回動範囲を制限するものである。
【００１９】
これにより、装着の際にリミットキャップ３の向きが変わらずにスムースな挿入を可能としながら、針弁２Ａの向き（角度）を変動させないものとしており、装着後は横溝３０ｄに係合している係合ピン１７が左右端部側の壁に当接することで回動範囲が制限されるため、限度を超えた流量調整を防止できるようになっている。また、これらの係合溝を金属製の本体３０に形成したことにより、高い耐久性を確保しやすくなっている。
【００２０】
一方、金属製の本体３０内部に固定される合成樹脂製の噛合体３１は、外径が本体３０の先端（図中下端）側開口部寄り内側部分の内径とほぼ一致しており、その内周側に周方向に亘って内歯歯車状に形成された噛合部３１ａを有しているとともに、その外周面から脱抜・回動阻止構造としてのラッチ３１ｂ，３１ｂが外向きに突設され、且つ、上部開口部側には内向きの係合爪３１ｃが設けられている（図２参照）。
【００２１】
そのラッチ３１ｂ，３１ｂが、本体３０を構成する周壁を内周面から外周面まで貫通してなる脱抜・回動阻止構造としての窓部３０ｂに内側から係合することで、噛合体３１は本体３０に対し同軸的且つ脱抜不能・回動不能に結合・固定されている。このような構成としたことで、異なる素材同士である本体３０と噛合体３１とが容易且つ確実に結合可能なものとなり、リミットキャップ３の組立て作業の容易化に貢献している。
【００２２】
図２乃至図４は、リミットキャップ３を気化器１の針弁２Ａに装着する状況を説明するためのものであり（針弁２Ａ，２Ｂは縦断せず）、図２はリミットキャップ３を針弁２Ａに装着する前段階の状態を示している。尚、この例では高速流量を調整するための針弁２Ａのみにリミットキャップ３が装着する場合を説明するが、低速側の針弁２Ｂにも同様に装着して使用することもできる。
【００２３】
気化器１のボディ外面から円筒状に突設した装着部の底面側に配設された針弁２Ａは、先端（図中下端）側から順に、燃料の流量を調整するためのテーパー部２ａ、気化器１ボディ側に螺入しながら挿入深さを調整するためのねじ部２ｂ、噛合体３１の噛合部３１ａと噛み合うローレットを頭部外周側で周方向に連設してなるセレート部２ｃ、第２ステップ溝２ｄ、第１ステップ溝２ｅを備えており、基端（図中上端）側には多角形の穴や溝か
らなる調整工具を係合させるための係合構造２ｆが形成されている。
【００２４】
図３は、リミットキャップ３を、針弁２Ａに対し第１ステップ溝２ｅに係合爪３１ｃが係合する第１段階の深さまで挿入した状態を示している。この状態では噛合体３１の噛合部３１ａと針弁２Ａ頭部外周側のセレート部２ｃとは噛み合っておらず、リミットキャップ３の上端側開口部分から貫通孔３ａに挿入し先端を係合構造２ｆに係合させた調整工具を回すことにより、針弁２Ａを制限なく自由に回動させることができ、エンジンメーカーでそれぞれのエンジンに合わせて最適な流量に調整しておくことを可能としている。
【００２５】
図４は、リミットキャップ３を、針弁２Ａに対し第２ステップ溝２ｄに係合爪３１ｃが係合する第２段階の深さまで挿入した状態を示している。即ち、第１段階の深さにおいて最終的な燃料流量に針弁２Ａを調整した後に、リミットキャップ３はこの最も深い位置まで押し込まれるが、樹脂からなる噛合体３１の係合爪３１ｃは針弁Ａの第２ステップ溝２ｄに嵌って係合され、針弁２Ａ頭部外周側のセレート部２ｃが噛合体３１内周側の噛合部３１ａに噛み合うことにより、金属製の針弁２Ａ、合成樹脂製の噛合体３１、金属製の本体３０は一体となって回動可能な状態になる。
【００２６】
この第２段階の深さまでの装着作業において、噛合体３１が合成樹脂製であることにより係合爪３１ｃの第１ステップ溝２ｅ、第２ステップ溝２ｄへの係合動作が各々スムースになることに加え、金属製のセレート部２ｃに対し、比較的柔らかく弾性変形能に富んだ合成樹脂製の噛合部３１ａが弱い力でもしなやかに変形しながら容易に噛み合うため、装着作業がスムース且つ容易であり、且つ、針弁２Ａを不意に動かして設定した燃料流量を変動させる心配もない。
【００２７】
図５は、本体３０外周面に設けた係合溝としての縦溝３０ｃ，横溝３０ｄの作用について説明するためのものであり、図５（Ａ）の係合ピン１７部分を通る面で切断した縦断面図に示すように、縦溝３０ｃは係合ピン１７と係合しながらリミットキャップ３の挿入方向を案内してリミットキャップ３及び針弁２が回動するのを防止する。
【００２８】
そして、第２段階の深さまで挿入して係合ピン１７が横溝３０ｄ内に入ると、図５（Ａ）のＸ−Ｘ線に沿って切断した端面図である図５（Ｂ）に示すように、係合ピン１７は横溝３０ｄに沿って回動させるためのガイドになることに加え、横溝３０ｄ両端部の壁面に衝突することで回動範囲を制限するストッパとなる。尚、斯かる縦溝３０ｃ，横溝３０ｄを金属製の本体３０に形成したことで、係合ピン１７との摺動部分の摩擦が軽減されて挿入・回動動作がスムースになるとともにこの摺動部分の耐久性を確保可能なものとしている。
【００２９】
図６は、上述した実施の形態の応用例であって、図１において気化器１側の係合凸部である係合ピン１７と係合する係合部としての縦溝３０ｃ，横溝３０ｄの代わりに、気化器１Ｂ側の係合凸部である突条１７Ｂと係合する係合部としての突条３０ｈが、本体３０Ｂ外周面から遠心方向に突出して先端から基端方向中央位置まで延設され外周の５分の１程度の幅で設けられている点を特徴としたリミットキャップ３Ｂを示している。
【００３０】
前記突条３０ｈが係合する突条１７Ｂは、図７に示すように気化器１Ｂボディ側に形成したリミットキャップ挿入穴１１の内周面から中心方向に突出してその底部側から開口側方向先端寄りの位置まで延設されたものであり、斯かるリミットキャップ３Ｂは、図７（Ｂ）に示すように、針弁２Ａへの装着時に、突条３０ｈの突出方向に延びて形成された側面３０１を突条１７Ｂの突出方向に延びて形成された側面１７１に当接・摺動させて挿入することにより、噛合部３１ａと針弁２Ａ頭部とが噛み合う挿入位置まで挿入方向の動作を案内されながら回動方向の動きが制限される。
【００３１】
また、噛合部３１ａと針弁２Ａ頭部が噛み合った挿入位置にて気化器１Ｂ側の突条１７Ｂの左右の側面１７１，１７２とリミットキャップ３Ｂ側の突条３０ｈの左右の側面３０１，３０２が当接することにより、回動範囲が制限されるようになっている。これにより、係合ピン１７を省略することができるためコストを一層低廉に抑えることができる。尚、リミットキャップ３Ｂの突条３０ｈの近くには、案内爪３０ｊが弾性的に没入可能な状態で外周面から突出するように設けられており、リミットキャップ挿入穴１１への挿入時に突条３０ｈとの間で突条１７Ｂを挟みながら挿入方向を案内する。
【００３２】
以上、述べたように、気化器の針弁頭部側に装着するリミットキャップについて、本発明により、工具係合部が潰れにくくなることに加え燃料流量を変動させることなく容易に装着できるようになった。
【符号の説明】
【００３３】
１，１Ｂ  気化器、２Ａ  針弁、２ｃ  セレート部、２ｅ  係合構造、３，３Ｂ  リミットキャップ、３ａ  貫通孔、１１  リミットキャップ挿入穴、１７  係合ピン、１７Ｂ，３０ｈ  突条、３０  本体、３０ａ  工具係合部、３０ｃ  縦溝、３０ｄ  横溝、３１
噛合体、３１ａ  噛合部、３１ｂ  ラッチ、３１ｃ  係合爪、１７１，１７２，３０１，３０２  側面
【図１】
0005773631.tif 000002
【図２】
0005773631.tif 000003
【図３】
0005773631.tif 000004
【図４】
0005773631.tif 000005
【図５】
0005773631.tif 000006
【図６】
0005773631.tif 000007
【図７】
0005773631.tif 000008